(57)【要約】【課題】【解決手段】全長の部分に沿って螺旋状に延びる，空調プラントのためのエンドレスコンベヤベルトが，複数の横ロッド（４）と，複数の側方部材（３）とを有している。このコンベヤベルトは，前記側方部材（３）が，これら側方部材に固定して接続され，これら側方部材とリンク手段（２）を形成している，２つのロッド（４）のみに対をなして接続され，隣接するリンク手段（２）は，これらの互いに近接するロッド間に配置され，これらロッドに接続されたカップリング部材（５）によって，互いに関節接続されていることを特徴としている。
2005532239.tif 000002
【特許請求の範囲】
【請求項１】
複数の横ロッド（４）と，複数の側方部材（３）とを具備し，全長の部分に沿って螺旋状に延びる，空調プラントのためのエンドレスコンベヤベルトにおいて，
前記側方部材（３）は，これら側方部材に固定して接続され，これら側方部材とリンク手段を形成している２つのロッド（４）のみに対をなして接続されており，
隣接する前記リンク手段（２）は，これらリンク手段の互いに近接するロッド（４）間に配置され，かつ，これら互いに近接するロッド（４）に接続されているカップリング部材（５）によって，互いに関節接続されていることを特徴とするコンベヤベルト。
【請求項２】
前記隣接するリンク手段（２）の各々は，コンベヤベルトの長手方向に対して直交で，かつ，互いに直交した２つの軸（１２，１３）を中心として回動するために，これらリンク手段間に配置されたカップリング部材（５）に関節接続されている請求項１のコンベヤベルト。
【請求項３】
前記隣接するリンク手段（２）は，前記カップリング部材（５）によって，コンベヤベルトの長手方向で，互いに移動可能である請求項１又は２のコンベヤベルト。
【請求項４】
前記カップリング部材（５）は，伸ばされた状態では，隣接するリンク手段（２）の前記互いに近接するロッド（４）が，それぞれのリンク手段（２）の２つのロッド（４）間の距離に対応した，互いに離れたところに配置されるようにデザインされている，請求項３のコンベヤベルト。
【請求項５】
各リンク手段（２）の側方部材（３）は，コンベヤベルトの伸ばされた状態で，隣接するリンク手段（２）の側方部材（３）と重なっている請求項３又は４のコンベヤベルト。
【請求項６】
各リンク手段（２）は，隣接するリンク手段（２）の後部（１０）に，リンク手段を互いに一緒に重ね合わせ得るように，相補的に形成されている前部（１０）を有している，請求項５のコンベヤベルト。
【請求項７】
各リンク手段（２）の前記側方部材（３）は，前記リンク手段（２）の前部（１０）と，後部（９）とを形成するように，中央で延びたショルダー部（１５）を有している，請求項５又は６のコンベヤベルト。
【請求項８】
各リンク手段（２）の前記ロッド（４）は，前記ショルダー部（１５）の関連した側方で，それぞれの側方部材（３）に接続されている，請求項７のコンベヤベルト。
【請求項９】
前記隣接するリンク手段（２）は，重なることなく一緒にされ得ることができ，前記リンク手段（２）を互いに接続させているカップリング部材（５）は，コンベヤベルト（１）のそれぞれの細長い側方エッジ（７）に各々配置されている２つのカップリング手段（６）を有し，各カップリング手段（６）は，互いに離された時に，隣接するリンク手段（２）のそれぞれの側方部材（３）間のギャップを埋める突出フランジ（２０）を有している，請求項１ないし４のいずれか１のコンベヤベルト。
【請求項１０】
細長いホール（８）が，隣接するリンク手段（２）の前記互いに近接するロッド（４）を受けるように，前記カップリング部材（５）中に形成されている，前記すべての請求項のいずれか１のコンベヤベルト。
【請求項１１】
前記カップリング部材（５）は，コンベヤベルトのそれぞれの細長い側方エッジ（７）に各々配置されている，２つのカップリング手段（６）を有している，前記すべての請求項のいずれか１のコンベヤベルト。
【請求項１２】
各リンク手段（２）の第1の側方部材（３）が，前記空調プラント中で螺旋状に伸びるコンベヤベルトの，上側の巻部を支持するためのスペーサを形成している，前記すべての請求項のいずれか１のコンベヤベルト。
【請求項１３】
各リンク手段（２）の第２の側方部材（３）が，また，スペーサを形成している請求項１１のコンベヤベルト。
【請求項１４】
このコンベヤベルトの前記ロッド（４）は，コンベヤベルトの荷重支持面を形成するためのワイヤーメッシュ（１４）を支持している，前記すべての請求項のいずれか１のコンベヤベルト。
【発明の詳細な説明】
【技術分野】
【０００１】
本発明は，一般に，コンベヤベルトに関する。より詳細には，全長の部分に沿って螺旋状に延び，複数の横ロッドと，複数の側方部材とを有する，空調プラントのためのエンドレスコンベヤベルトに関する。
【背景技術】
【０００２】
上述されたタイプのコンベヤベルトは，例えば，食料品の急速冷凍のための空調プラント内で，しばしば使用されている。
【０００３】
このようなコンベヤベルトは，側方部材と，これら側方部材に接続された横ロッドとを有するリンク手段から通常は形成されている。これらリンク手段は，コンベヤベルトが垂直方向と横方向とに屈曲可能であるような形態で，互いに接続されている。
【０００４】
このコンベヤベルトの前記リンク手段は，しかし，様々な形態にデザインされることができる。
【０００５】
図１ａないし図１ｃは，第１のタイプのリンク手段１０２を備えたコンベヤベルト１０１を示している。各リンク手段１０２は，２つの側方部材１０３と，これら側方部材１０３間に延び，これら側方部材に固定して接続された1つのロッド１０４とを有している。
【０００６】
細長いホール１０５が，前記リンク手段１０２を互いに接続するように，前記側方部材１０３に形成されており，リンク手段１０２のロッド１０４は，隣接するリンク手段１０２の側方部材１０３の細長いホール１０５を通って延びている。
【０００７】
前記細長いホール１０５は，隣接するリンク手段１０２を，互いに移動可能にさせている。この移動機能により，コンベヤベルト１０１は，また，横方向に屈曲可能である。
【０００８】
前記ロッド１０４は，前記細長いホール１０５に回動可能に装着されており，この結果，コンベヤベルト１０１は，垂直方向に屈曲可能である。
【０００９】
図１ｃに示されている垂直な屈曲では，このコンベヤベルト１０１は，２つのロッド１０４全体に渡って剛性であり，このことは，回動半径Ｒ１が,２つのロッド１０４間の距離に対応したＡ１距離に依存していることを意味している。
【００１０】
この原則に従って構成されたコンベヤベルトは，例えば，ＥＰ２９３０９５に説明されている。
【００１１】
この従来技術のタイプのコンベヤベルト１０１は，しかし，重大な欠点を有している。コンベヤベルト１０１のリンク手段１０２は，比較的低い剛性を示しており，このことは，コンベヤベルトの荷重を支持する機能が，制限されることを意味している。
【００１２】
この欠点は，図２ａないし図２ｃに示されたようなコンベヤベルト２０１によって解決される。このコンベヤベルト２０１は，第２のタイプのリンク手段２０２を有している。
【００１３】
前記第２のタイプのリンク手段２０２は，２つのロッド２０４に対をなして固定して接続されている側方部材２０３を有している。
【００１４】
前記側方部材２０３と、前記ロッド２０４とは、比較的剛性なフレーム構造を有したリンク手段２０２を形成している。このリンク手段２０２は，前記第１のタイプのリンク手段１０２を有したコンベヤベルト１０１のために上述されているリンク手段と類似した形態で，互いに接続されている。
【００１５】
この原則に従って構成されたコンベヤベルトは，例えば，ＳＥ４５２５９０に説明されている。
【００１６】
ある状況では，前記リング手段２０２間に，さらに強い接続を与えることが望ましい。従って，また，隣接する２つのリンク手段２０２の対向するロッドで接続されている，（示されていない）引き部材（ｐｕｌｌ  ｅｌｅｍｅｎｔｓ）によって，リンク手段２０２を接続することが知られている。
【００１７】
前記第２のタイプの，ねじれの比較的剛性なリンク手段２０２は，コンベヤベルト２０１が，良い荷重支持の機能を有しているであろうことを意味している。ある状況では，しかし，リンク手段のデザインが，問題をもたらす。
【００１８】
前記リンク手段２０２のデザインは，図２ｃに示されている，垂直方向に屈曲する時の，コンベヤベルト２０１が，３つのロッド２０４に応じた，Ａ２距離全体に渡って剛性になるという事実をもたらし，この結果，コンベヤベルト２０１の屈曲半径Ｒ２は，ロッド２０２間の距離が，前記第1のタイプのリンク手段１０２を有するコンベヤベルト１０１に応じて変化しないのであれば，増す。しばしば所望な，所定の屈曲半径を維持するために，前記ロッド２０４間の距離は，従って，減じられなければならず，このことは，よりコンパクトで重いコンベヤベルト２０１をもたらす。
【００１９】
この結果，前記第２のタイプのリンク手段を有する改良されたコンベヤベルトが，即ち，螺旋状に剛性なリンク手段を有するコンベヤベルトが必要である。
【発明の開示】
【発明が解決しようとする課題】
【００２０】
上述されたことを考慮すると，本発明の第１の目的は，螺旋状に剛性なリンク手段を有した，改良されたコンベヤベルトを提供することである。
【００２１】
さらなる目的は，垂直方向に良い屈曲機能を示すようなコンベヤベルトを提供することである。
【００２２】
また，目的は，比較的低い重量を有するコンベヤベルトを提供することである。
【課題を解決するための手段】
【００２３】
上記の目的と，以下の説明から明らかとなるであろう他の目的との少なくとも幾つかを達するために，請求項１に規定されたような特徴を有し，本発明に従ったコンベヤベルトが提供されている。好ましい実施の形態は，従属請求項２ないし１４に述べられている。
【００２４】
より詳細には，本発明に係われば，全長の部分に沿って螺旋状に延び，複数の横ロッドと，複数の側面部材とを有する，空調プラントのためのエンドレスコンベヤベルトが提供される。このコンベヤベルトは，側方部材が，これらに固定して接続され，これらとリンク手段を形成している，２つのロッドのみに対をなして接続されている。隣接する複数のリンク手段は，これらの間に配置され，リンク手段の互いに近接するロッドに接続されているカップリング部材によって，互いに関節接続されている。
【００２５】
これにより，改良されたコンベヤベルトが得られる。
【００２６】
各リンク手段は，２つの側方部材と，これら側方部材に固定して接続された２つの横ロッドとを有しており，このリンク手段には，比較的剛性なフレーム構造が与えられることができ，これによって，コンベヤベルトに，良い荷重の支持能力が与えられる。
【００２７】
各側方部材は，２つのロッドのみに，即ち，側方部材が固定して接続されているロッドに，さらに接続されている。隣接するリンク手段の接続は，前記カップリング手段によって間接的に達せられる。この結果，このコンベヤベルトは，垂直方向への良い屈曲機能を示すように形成されることができる。隣接するリンク手段の間接的な接続は，実際に，このコンベヤベルトが，垂直方向に屈曲する時に，剛性なリンク手段を有し，３つのロッドに渡って剛性である従来のコンベヤベルトとは対照的に，互いに近接する２つのロッドのみに渡って剛性であることを意味している。従って，本発明のコンベヤベルトは，コンベヤベルトの重量を十分に減じ得る，３つの代わりに２つの，単位長あたりの比較的少ない数のロッドを有した所定の屈曲半径を示すように形成されることができる。また，コンベヤベルトの重量が，不合理に大きくなることなく，コンベヤベルトのディメンションを増すことが可能であろう。
【００２８】
本発明のコンベヤベルトの好ましい実施の形態に係われば，隣接するリンク手段の各々は，コンベヤベルトの長手方向に対して直交で，互いに直交した２つの軸を中心として回動するために，リンク手段間に配置されたカップリング部材に関節接続されている。このことは，従って，デザインされたコンベヤベルトが，垂直方向と横方向との両方に屈曲可能であることを意味している。
【００２９】
他の好ましい実施の形態に係われば，隣接するリンク手段は，前記カップリング部材によって，コンベヤベルトの長手方向で，互いに移動可能である。この結果，コンベヤベルトは，広げられ，即ち伸ばされたり，また，一緒にされ，即ち縮められたりすることができる。コンベヤベルトを，これの一方のエッジ部分に沿って縮めることによって，並びに/若しくは，コンベヤベルトを，これの他方のエッジ部分に沿って伸ばすことによって，コンベヤベルトの横方向への前記屈曲機能を達することも可能であろう。前記カップリング部材は，伸ばされた状態では，隣接するリンク手段の互いに近接するロッドが，それぞれのリンク手段の２つのロッド間の距離に対応した，互いに離れたところに配置されるように，デザインされていることが好ましい。コンベヤベルトの全てのロッド間の距離が，ベルトの伸ばされている状態において，同じであることを確保することにより，偏向ローラに沿ってコンベヤベルトを，垂直方向へと屈曲させるように通過させることは容易であろう。
【００３０】
他の好ましい実施の形態に係われば，各リンク手段の側方部材は，コンベヤベルトの伸ばされた状態で，隣接するリンク手段の側方部材と重なっている。これにより，コンベヤベルトが，広げられ，即ち伸ばされた時でも，側方エッジが離れないことを確保することが可能である。各リンク手段は，隣接するリンク手段の後部に，リンク手段を互いに一緒に重ね合わせ得るように，相補的に形成されている前部を有していることが効果的である。各リンク手段の側方部材は，リンク手段の前記前部と，前記後部とを形成するように，中央で伸びた折り部（ｔｒａｎｓｉｔｉｏｎ）を有している。効果的にも，各リンク手段のロッドは，前記折り部の関連した側方に，それぞれの側方部材を接続している。従って，デザインされたリンク手段が，良い螺旋状の剛性を効果的に有するように形成されることができる。
【００３１】
さらに，他の好ましい実施の形態に係われば，細長いホールが，隣接するリンク手段の前記互いに近接するロッドを受けるように，カップリング部材に形成されている。これら細長いホールは，コンベヤベルトの長手方向でのリンク手段の前記移動と，コンベヤベルトの横方向への屈曲とを可能にしている。
【００３２】
他の好ましい実施の形態に係われば，前記カップリング部材は，コンベヤベルトのそれぞれの長手方向の側方エッジに，各々配置されている２つのカップリング手段を有している。
【００３３】
他の好ましい実施の形態に係われば，各リンク手段の第１の側方部材は，（コンベヤベルトが）前記空調プラント内で螺旋状に伸びている時に，コンベヤベルトの上側の巻部を支持するためのスペーサを形成している。従って，デザインされたコンベヤベルトは，片側で自己支持している。好ましくは，また，各リンク手段の第２の側方部材が，スペーサを形成している。このようなコンベヤベルトは，両側で自己支持しているであろう。
【００３４】
さらに，他の好ましい実施の形態に係われば，コンベヤベルトのロッドは，コンベヤベルトの荷重支持面を形成するためのワイヤーメッシュを支持している。
【００３５】
本発明の好ましい実施の形態は，実施例によって，及び，添付図面を参照して説明されているであろう。
【発明を実施するための最良の形態】
【００３６】
本発明は，全長の部分に沿って螺旋状に延びる，空調プラントのためのエンドレスコンベヤベルト１に関する。従って，このコンベヤベルト１は，例えば，図３に示されたようなエンドレスループに配置されるように意図されている。このコンベヤベルト１は，空調設備を通って運ばれている時に，急速冷凍されるであろう食料品の搬送のために意図されることができる。
【００３７】
しかし，本発明のコンベヤベルトは，また，空調プラントよりも他の用途のために使用可能であることが，理解されているであろう。
【００３８】
本発明は，概略的かつ基本的な実施の形態と，好ましい実施の形態とを参照して示されているであろう。同等の構成部材には，同じ参照符号が与えられている。
【００３９】
参照される図４ａないし図４ｃは，本発明のコンベヤベルト１を，概略的に図示している。
【００４０】
このコンベヤベルト１は，複数のリンク手段２を有しており，各リンク手段は，２つの側方部材３と，これら側方部材間に延ばされ，これら側方部材に固定して接続された２つのロッド４とを有している。
【００４１】
前記コンベヤベルト１の示された部分は，より詳細には，互いに隣接する第１のリンク手段２ａと，第２のリンク手段２ｂとを有している。これらリンク手段は，カップリング部材５によって，互いに間接的に関節接続されている。前記第２のリンク手段２ｂに隣接している１つ以上のリンク手段２は，点線によって示されている。
【００４２】
リンク手段２ａ及び２ｂの各々は，２つの側方部材３ａ及び３ｂと，これら側方部材３ａ及び３ｂ間に延ばされ，これら側方部材に固定して接続された２つの横ロッド４ａ及び４ｂとを有している。
【００４３】
従って，各リンク手段２ａ，２ｂは，これらに強いねじれ剛性を与えているフレーム構造を有している。
【００４４】
前記第１のリンク手段２ａと第２のリンク手段２ｂとの間に，直接的な接続はないが，前記関節接続が，隣接するリンク手段２ａ，２ｂの，互いに近接する２つのロッド４ａ，４ｂに，即ち，互いに対向するロッド間に配置され，接続されている前記カップリング部材５によって，間接的に達せられている。
【００４５】
図示された実施の形態では，前記カップリング部材５は，コンベヤベルト１のそれぞれの，長い側方エッジ７の所に，各々が配置されている，２つのカップリング手段６を有している。
【００４６】
各カップリング手段６は，細長い本体から構成されており，この本体中に，連続して配置された２つの細長いホール８が形成されている。
【００４７】
各細長いホール８は，前記隣接するリンク手段２ａ，２ｂの互いに近接するロッド４ａ，４ｂの一方を受けている。
【００４８】
前記カップリング手段６の細長いホール８によって，隣接するリンク手段２ａ，２ｂは，コンベヤベルト１の長手方向で，互いに移動可能である。
【００４９】
図４ａに示されたように，前記第１のリンク手段２ａは，リンク手段２ａ，２ｂ間に重合部１１を与えるように，隣接する第２のリンク手段２ｂの前部１０に，相補的に形成されている後部９を有している。この重合部１１は，リンク手段２ａ，２ｂが，互いに最大限に離間された時でも維持されるように，形成されていることが好ましい。図４ａに示された実施の形態では，第１のリンク手段２ａの比較的幅が広くなっている前部が，第２のリンク手段２ｂの幅が狭くなっている後部を把持しており，コンベヤベルトの移動方向が，図４ａに示された矢印によって図示されている。
【００５０】
従って，本発明のコンベヤベルト１は，これのリンク手段２ａ，２ｂを一緒になるようにさせることによって，一緒にされる，即ち，縮められることができる。また，コンベヤベルト１は，これのリンク手段２ａ，２ｂを互いに離間させることによって，伸ばされる，即ち，広げられることができる。コンベヤベルト１が広げられた状態で維持されている，リンク手段２ａ，２ｂ間の重合部１１は，コンベヤベルト１が，広げられた時でも，破断されることのない側方エッジ７を有することを確保している。
【００５１】
前記隣接するリンク手段２ａ，２ｂ間に配置されたカップリング部材５は，リンク手段２ａ，２ｂを，互いに回動可能にしている。
【００５２】
より詳細には，前記リンク手段２ａ，２ｂは，一方で，コンベヤベルト１の横方向に対して平行に延ばされ，かつ図４ａで１２で図示された第１の回動軸を中心として回動させるために，また，他方で，コンベヤベルト１の前記横方向と,長手方向との両方に対して垂直に延ばされ，かつ図４ｂで１３で図示された第２の回動軸を中心として回動させるために，これらリンク手段２ａ，２ｂ間に配置されたカップリング部材５に，関節接続されている。
【００５３】
前記第１の回動軸１２を中心とした回動機能は，リンク手段２ａ，２ｂのロッド４ａ，４ｂを，カップリング手段６の細長いホール８中に回動可能に受け入れさせることによって可能とされている。
【００５４】
前記第２の回動軸１３を中心とした回動機能は，前記細長いホール８中で移動可能なロッド４ａ，４ｂによって可能とされている。
【００５５】
従って，本発明のコンベヤベルト１は，これのリンク手段２ａ，２ｂの回動機能により，垂直方向と横方向との両方に屈曲可能である。
【００５６】
このコンベヤベルト１を横方向に屈曲させるために，コンベヤベルト１は，例えば，一方の側方エッジ７に沿って伸ばされ，並びに/若しくは，他方の側方エッジ７に沿って縮められることができる。
【００５７】
本発明のコンベヤベルト１は，実際に，垂直方向への非常に良い屈曲機能を有している。この理由は，前記第１のリンク手段２ａが，カップリング部材５に垂直方向に回動可能に接続され，このカップリング部材５が，隣接する第２のリンク手段２ｂに垂直方向に回動可能に接続されているためである。このことは，垂直方向へと屈曲する時に，関節をなして，間接的に接続された複数のリンク手段２を有する本発明のコンベヤベルト１が，互いに近接する２つの横ロッド４間に対応した，Ａ距離全体に渡ってのみ剛性であることを意味している。このことは，剛性なリンク手段２０２を有し，横方向へと回動する時に，３つのロッド２０４に対応した，所定の距離全体に渡ってのみ剛性である従来のコンベヤベルト２０１と比較されるべきである。
【００５８】
本発明のコンベヤベルト１が，垂直方向へと良く回動することにより，以下のいくつかの効果が確保されている。
【００５９】
特に，所定の屈曲半径Ｒは，単位長あたり，比較的少ない数のロッド４を有した，所定の寸法のコンベヤベルト１を提供することができる。これは，コンベヤベルト１の重量が減じられることを意味し，このことは，特に，比較的大きなディメンションを有するコンベヤベルト１に，非常に効果的である。
【００６０】
参照される図５は，本発明の好ましい実施の形態に従ったコンベヤベルト１の，切断された一部分を示している。
【００６１】
上述されたように，このコンベヤベルト１は，関節をなして，間接的に接続された複数のリンク手段２を有しており，各リンク手段は，２つの側方部材３と，これら側方部材３間に延び，これら側方部材に固定して接続されている２つの横ロッド４とを有している。
【００６２】
図示された実施の形態では，隣接する２つのリンク手段２間の間接的な接続は，カップリング部材５によって，それぞれの側方エッジ７に沿って，各々配置されている２つのカップリング手段６の形態で達せられている。
【００６３】
各カップリング手段６は，連続して配置された２つの細長いホール８が形成されている細長い本体により構成されている。このことは，図６に明瞭に示されている。
【００６４】
前記リンク手段２のロッド４は，コンベヤベルト１の，荷重支持面を形成しているワイヤーメッシュ１４を，さらに支持している。図５に部分的にのみ示されているこのワイヤーメッシュは，前記カップリング手段６を，コンベヤベルト１のそれぞれの側方エッジ７に沿って，位置付けするように機能するように形成されていることが好ましい。
【００６５】
このコンベヤベルト１のロッド４間の距離は，コンベヤベルトの伸ばされた状態で，それぞれのリンク手段２のロッド４間の距離に一致していることが好ましい。しかし，本発明が，また，異なって離間した関係に配置されているロッドを備えたコンベヤベルトを含んでいることは，理解されているであろう。しかし，コンベヤベルトの伸ばされた状態にある，ロッド間の同じ距離は，コンベヤベルトを垂直方向に偏向するための偏向ローラに沿って，コンベヤベルトを通過させるために効果的である。
【００６６】
図７は，本発明のコンベヤベルト１の側方部材３を，明瞭に示している。より詳細には，この側方部材３は，ほぼ中央で延びた折り部，即ちショルダー部１５を有した金属シートから構成されている。ホール１６が，ロッド４の各々を受けるために，前記ショルダー部１５の各側方に形成されている。側方部材３の後方側部には，ボックス状の構造体１７が，前記ロッド４を側方部材３に信頼して溶接できるように，前記メタルシートと一体的に形成されている。
【００６７】
前記側方部材３の下側コーナ部分１８は，側方部材３が互いか，隣接するロッド２かに衝突することなく，隣接する２つのリンク手段２を一緒にさせることができるように，デザインされている。
【００６８】
前記側方部材３の中央ショルダー部１５は，前記リンク手段が，図４ａを参照して説明されたリンク手段に従って，前部１１と後部１０とを得るようにさせている。リンク手段２の後部１０は，両リンク手段２を一緒にさせるように，隣接するリンク手段２の前部１１に対して，相補的に形成されている。
【００６９】
前記ロッド４が，前記中央ショルダー部１５の関連した側方で，それぞれの側方部材３に接続しているという事実は，リンク手段２のねじれ剛性を改善することに貢献している。
【００７０】
また，前記側方部材３は，螺旋状に延びる時に，コンベヤベルト１の上側の巻部を支持するためのスペーサ（隔板）を形成している。図７に示された側方部材３は，上側の巻部が下側の巻部に滑り落ちるのを防止しているガイド手段を，側方部材の裏面に有している。従って，図７に従った側方部材３を備えたリンク手段２を有するコンベヤベルト１は，自己支持型である。しかし，本発明はまた，自己支持型でないコンベヤベルトと，１つの側方エッジのみに沿って自己支持するコンベヤベルトとを含んでいることは，理解されているであろう。
【００７１】
従って，本発明に係われば，全長の部分に沿って螺旋状に延びる，空調プラントのためのエンドレスコンベヤベルト１が提供される。このコンベヤベルト１は，関節をなして，間接的に接続された複数のリンク手段２を有しており，各リンク手段は，２つの側方部材３と，これら側方部材３間に延び，これら側方部材に固定して接続された２つの横ロッド４とを有している。隣接する２つのリンク手段２間の，関節をなした間接的な接続は，リンク手段２の互いに近接するロッド４に接続されている１つのカップリング部材５によって達せられている。即ち，このカップリング部材５は，互いに方向付けされた，隣接するリンク手段２の２つのロッド４に接続されている。
【００７２】
前記カップリング部材５は，コンベヤベルト１の長手方向に対して直交し，かつ互いに直交した２つの回動軸１２，１３を中心として，隣接する２つのリンク手段２の互いの回動を可能にするようにデザインされている。この結果，コンベヤベルト１は，垂直方向と横方向との両方に屈曲可能である。
【００７３】
好ましい実施の形態に係われば，前記リンク手段２の回動機能は，コンベヤベルト１の側方エッジ７に各々配置されている，２つのカップリング手段６の形態を有したカップリング部材５によって達せられている。各カップリング手段６は，前記互いに近接するロッド４を回転可能に受けている細長いホール８を有している。
【００７４】
参照される図８は，本発明のコンベヤベルト１の他の実施の形態を示している。
【００７５】
前に説明された実施の形態のように，このコンベヤベルト１は，複数のリンク手段２を有しており，各リンク手段は，２つの側方部材３（一方のみが示されている）と，これら側方部材３間に延び，これら側方部材３に固定して接続された２つのロッド４とを有している。隣接するリンク手段２は，さらに，コンベヤベルト１のそれぞれの側方エッジに配置されている，２つのカップリング手段６の形態を有したカップリング部材５によって，互いに接続されている。各カップリング手段６には，連続して配置された細長い２つのホール８が形成されており，各ホールは，隣接するリンク手段２の互いに近接する２つのロッド４の一方を受けている。
【００７６】
前記カップリング手段６の細長いホール８により，前記隣接するリンク手段２は，コンベヤベルト１の長手方向で，互いに移動可能である。
【００７７】
各リンク手段２は，後部と一致している前部を有している。このことは，隣接する２つのリンク手段２が，重合部で一緒にされ得ないことを意味している。より詳細には，ギャップが，隣接する２つのリンク手段２が互いに離間するように動かされた時に，これらリンク手段間に形成される。
【００７８】
しかし，このコンベヤベルト１は，側方エッジ間が実質的に離れないことが望ましい。この理由のために，各カップリング手段６は，隣接する２つのリンク手段２間に形成されるギャップを埋める突出フランジ２０を有している。
【００７９】
前記カップリング部材は，また，他の形態にデザインされることもできる。例えば，図示されていない他の実施の形態に従えば，単一部材で形成され，コンベヤベルトの側方エッジ間に配置されたカップリング部材によって，隣接する２つのリンク手段を間接的に接続することが可能である。このカップリング部材は，連続して配置された細長い２つのホールを有することができ，各ホールは，隣接するリンク手段の互いに近接する２つのロッドの１つを受けている。このカップリング部材に突出フランジを与えることによって，同じタイプのカップリング部材の連続する突出フランジと組み合わされて，このカップリング部材は，コンベヤベルトの荷重支持面を幾つかの別々の搬送路に分けるように機能するように形成されることができる。これによって，コンベヤベルト上の製品の分離を可能にしている。
【００８０】
本発明が，以上に図示され，かつ説明された実施の形態に制限されないことは理解されているであろう。
【００８１】
従って，前記カップリング部材を，コンベヤベルトの荷重支持面を形成しているワイヤーメッシュの部分で形成させることは可能である。従って，隣接する２つのリンク手段を間接的に接続しているカップリング部材は，隣接するリンク手段の互いに近接する２つのロッドを接続しているワイヤーにより構成されているであろう。
【００８２】
また，前記側方部材を，上側の巻部を支持するためのスペーサを形成していないような形態にデザインすることは可能である。また，側方部材に，コンベヤベルトの２つのエッジ部分の一方のみに沿って，スペーサを形成させることは可能である。従って，このようなコンベヤベルトは，片側のみを，自己支持しているであろう。
【００８３】
また，前記側方部材は，他の形態にデザインされることができ，さらに，前記カップリング部材は，図示された実施の形態に従ってデザインされている必要はない。このカップリング部材のカップリング手段が，例えば，隣接するリンク手段の近隣する両ロッドを受けている単一の細長いホールを有することができる。
【００８４】
従って，様々な修正及び変形が実現可能であり，この結果，本発明の範囲は，従属する請求項によって，独占的に規定されている。
【図面の簡単な説明】
【００８５】
【図１ａ】第１のタイプのリンク手段を有した，従来のコンベヤベルトを示す概略図である。
【図１ｂ】第１のタイプのリンク手段を有した，従来のコンベヤベルトを示す概略図である。
【図１ｃ】第１のタイプのリンク手段を有した，従来のコンベヤベルトを示す概略図である。
【図２ａ】第２のタイプのリンク手段を有した，従来のコンベヤベルトを示す概略図である。
【図２ｂ】第２のタイプのリンク手段を有した，従来のコンベヤベルトを示す概略図である。
【図２ｃ】第２のタイプのリンク手段を有した，従来のコンベヤベルトを示す概略図である。
【図３】全長の部分に沿って螺旋状に延びている，本発明のエンドレスコンベヤベルトを示す透視図である。
【図４ａ】第２のタイプのリンク手段を有した，本発明のコンベヤベルトを示す概略図である。
【図４ｂ】第２のタイプのリンク手段を有した，本発明のコンベヤベルトを示す概略図である。
【図４ｃ】第２のタイプのリンク手段を有した，本発明のコンベヤベルトを示す概略図である。
【図５】本発明のコンベヤベルトの，好ましい実施の形態の切断された透視図である。
【図６】図５のコンベヤベルトの接続手段を示す透視図である。
【図７】図５のコンベヤベルトの側方部材を示す透視図である。
【図８】本発明のコンベヤベルトの，第２の実施の形態の切断された透視図である。
【図１ａ】
2005532239.tif 000003
【図１ｂ】
2005532239.tif 000004
【図１ｃ】
2005532239.tif 000005
【図２ａ】
2005532239.tif 000006
【図２ｂ】
2005532239.tif 000007
【図２ｃ】
2005532239.tif 000008
【図３】
2005532239.tif 000009
【図４ａ】
2005532239.tif 000010
【図４ｂ】
2005532239.tif 000011
【図４ｃ】
2005532239.tif 000012
【図５】
2005532239.tif 000013
【図６】
2005532239.tif 000014
【図７】
2005532239.tif 000015
【図８】
2005532239.tif 000016
【国際調査報告】
2005532239.tif 000017
2005532239.tif 000018